(57)【要約】  本発明は、家電製品の分野に属し、具体的には、衣類処理装置を提供する。本発明は、従来の洗濯機が衣類乾燥機の乾燥システムを使用して衣類を乾燥することができないという問題を解決することを目的とする。この目的のために、本発明の衣類処理装置は、衣類乾燥機と、洗濯機と、乾燥システムとを備え、前記乾燥システムは、方向切換装置を備え、且つ前記乾燥システムは、乾燥気流を生成することができる。前記方向切換装置の状態を切り替えることにより、前記乾燥気流を前記衣類乾燥機又は前記洗濯機に選択的に輸送することができる。従って、本発明の衣類処理装置は、乾燥システムによって衣類乾燥機と洗濯機内の衣類を乾燥することができ、ユーザ体験を向上させる。
2020521608.tif 000002
【特許請求の範囲】
【請求項１】
衣類処理装置であって、第１の衣類処理装置と、第２の衣類処理装置と、乾燥システムとを備え、前記乾燥システムが乾燥気流を生成でき、前記乾燥気流が、前記第１の衣類処理装置及び前記第２の衣類処理装置内に同時に又は別々に輸送され得る、ことを特徴とする衣類処理装置。
【請求項２】
前記第１の衣類処理装置は、第１の衣類処理ドラムを備え、前記第２の衣類処理装置は、第２の衣類処理ドラムを備え、前記乾燥システムは、乾燥気流を前記第１の衣類処理ドラム及び前記第２の衣類処理ドラム内に同時に又は別々に輸送する、ことを特徴とする請求項１に記載の衣類処理装置。
【請求項３】
前記乾燥システムは、
前記第１の衣類処理ドラム及び／又は前記第２の衣類処理ドラムを回転駆動することができる駆動装置と、
乾燥気流を生成するための乾燥ユニットと、
前記乾燥ユニットにより生成された乾燥気流を前記第１の衣類処理ドラム及び／又は前記第２の衣類処理ドラム内に輸送するための乾燥気流循環装置とを備える、ことを特徴とする請求項２に記載の衣類処理装置。
【請求項４】
前記乾燥システムは、
それぞれ前記第１の衣類処理ドラムのキャビティに連通する第１の送風ダクト及び第１の排風ダクトと、
それぞれ前記第２の衣類処理ドラムのキャビティに連通する第２の送風ダクト及び第２の排風ダクトと、
前記第１の排風ダクト及び前記第２の排風ダクトに接続される送風端、及び前記第１の送風ダクト及び前記第２の送風ダクトに接続される排風端を備える乾燥ダクトと、
方向切換装置であって、前記乾燥ダクトの送風端が前記方向切換装置を介して前記第１の排風ダクト又は前記第２の排風ダクトに選択的に連通することができ、前記乾燥ダクトの排風端が前記方向切換装置を介して前記第１の送風ダクト又は前記第２の送風ダクトに選択的に連通することができる方向切換装置と、をさらに備える、ことを特徴とする請求項３に記載の衣類処理装置。
【請求項５】
前記乾燥ユニットは、前記乾燥ダクトに設置され、前記乾燥気流循環装置は、各ダクト内に循環するように乾燥気流をガイドすることができる、ことを特徴とする請求項４に記載の衣類処理装置。
【請求項６】
前記乾燥気流循環装置は、前記乾燥ダクトに設置される、ことを特徴とする請求項５に記載の衣類処理装置。
【請求項７】
前記乾燥ユニットは、乾燥気流を生成するための加熱装置と、乾燥気流から水分を除去するための凝縮装置とを備える、ことを特徴とする請求項６に記載の衣類処理装置。
【請求項８】
前記方向切換装置は、前記乾燥ダクトの送風端に設置される第１の方向切換弁と、前記乾燥ダクトの排風端に設置される第２の方向切換弁とを備え、前記第１の方向切換弁が、前記乾燥ダクトの送風端を前記第１の排風ダクト又は前記第２の排風ダクトに選択的に連通させ、前記第２の方向切換弁が、前記乾燥ダクトの排風端を前記第１の送風ダクト又は前記第２の送風ダクトに選択的に連通させる、ことを特徴とする請求項４に記載の衣類処理装置。
【請求項９】
複数の第２の衣類処理装置を備え、前記乾燥システムは、乾燥気流を、前記第１の衣類処理装置の第１の衣類処理ドラム及び各前記第２の衣類処理装置の第２の衣類処理ドラム内に同時に又は別々に輸送することができる、ことを特徴とする請求項２に記載の衣類処理装置。
【請求項１０】
クラッチ装置をさらに備え、前記駆動装置は、前記クラッチ装置によって前記第１の衣類処理ドラム及び／又は前記第２の衣類処理ドラムに接続され、前記第１の衣類処理ドラム及び／又は前記第２の衣類処理ドラムを選択的に回転駆動する、ことを特徴とする請求項９に記載の衣類処理装置。
【請求項１１】
前記クラッチ装置は、多位置クラッチ装置であり、前記駆動装置はさらに、前記多位置クラッチ装置によって各前記第２の衣類処理装置の第２の衣類処理ドラムに接続され、前記第２の衣類処理ドラムを選択的に回転駆動する、ことを特徴とする請求項１０に記載の衣類処理装置。
【請求項１２】
前記第１の衣類処理装置は、衣類乾燥機であり、前記第２の衣類処理装置は、洗濯機であり、又は
前記第１の衣類処理装置は、衣類乾燥機であり、前記第２の衣類処理装置も衣類乾燥機であり、又は
前記第１の衣類処理装置は、洗濯機であり、前記第２の衣類処理装置は、衣類乾燥機であり、又は
前記第１の衣類処理装置は、洗濯機であり、前記第２の衣類処理装置も洗濯機である、ことを特徴とする請求項１〜１１のいずれか１項に記載の衣類処理装置。
【請求項１３】
前記駆動装置は、モーターであり、且つ／又は前記乾燥気流循環装置は、送風機である、ことを特徴とする請求項１２に記載の衣類処理装置。
【発明の詳細な説明】
【技術分野】
【０００１】
本発明は、家電製品の分野に属し、具体的には、衣類処理装置を提供する。
【背景技術】
【０００２】
生活の質の向上に伴い、人々は、高品質で絶妙な生活をますます追求している。衣類乾燥機も、徐々により多くの一般家庭により利用されてきて、高品質の生活に不可欠の家電製品になっている。衣類乾燥機は、通常、ドラム式洗濯機の上に積み重ねられるが、洗濯機と衣類乾燥機が相互に独立した２つのシステムであるため、洗濯機は、衣類乾燥機の加熱及び凝縮装置を使用して衣類を乾燥することができない。一方、洗濯機は、衣類乾燥機能を実現するためには、別に乾燥モジュールを設置しなければならず、このため、洗濯機のコストを増加する。
【０００３】
対応して、本分野では、上記問題を解決するための新たな衣類処理装置が求められている。
【発明の概要】
【０００４】
従来技術の上記問題を解決するために、すなわち、従来の洗濯機が衣類乾燥機の乾燥システムで衣類を乾燥させることができない問題を解決するために、本発明は、第１の衣類処理装置と、第２の衣類処理装置と、乾燥システムとを備え、前記乾燥システムが乾燥気流を生成でき、前記乾燥気流が、前記第１の衣類処理装置及び前記第２の衣類処理装置内に同時に又は別々に輸送され得る衣類処理装置を提供する。
【０００５】
上記衣類処理装置の好ましい技術案では、前記第１の衣類処理装置は、第１の衣類処理ドラムを備え、前記第２の衣類処理装置は、第２の衣類処理ドラムを備え、前記乾燥システムは、乾燥気流を前記第１の衣類処理ドラム及び前記第２の衣類処理ドラム内に同時に又は別々に輸送する。
【０００６】
上記衣類処理装置の好ましい技術案では、前記乾燥システムは、前記第１の衣類処理ドラム及び／又は前記第２の衣類処理ドラムを回転駆動することができる駆動装置と、乾燥気流を生成するための乾燥ユニットと、前記乾燥ユニットにより生成された乾燥気流を前記第１の衣類処理ドラム及び／又は前記第２の衣類処理ドラム内に輸送するための乾燥気流循環装置とを備える。
【０００７】
上記衣類処理装置の好ましい技術案では、前記乾燥システムは、それぞれ前記第１の衣類処理ドラムのキャビティに連通する第１の送風ダクト及び第１の排風ダクトと、それぞれ前記第２の衣類処理ドラムのキャビティに連通する第２の送風ダクト及び第２の排風ダクトと、前記第１の排風ダクト及び前記第２の排風ダクトに接続される送風端、及び前記第１の送風ダクト及び前記第２の送風ダクトに接続される排風端を備える乾燥ダクトと、方向切換装置であって、前記乾燥ダクトの送風端が前記方向切換装置を介して前記第１の排風ダクト又は前記第２の排風ダクトに選択的に連通することができ、前記乾燥ダクトの排風端が前記方向切換装置を介して前記第１の送風ダクト又は前記第２の送風ダクトに選択的に連通することができる方向切換装置と、をさらに備える。
【０００８】
上記衣類処理装置の好ましい技術案では、前記乾燥ユニットは、前記乾燥ダクトに設置され、前記乾燥気流循環装置は、各ダクト内に循環するように乾燥気流をガイドすることができる。
【０００９】
上記衣類処理装置の好ましい技術案では、前記乾燥気流循環装置は、前記乾燥ダクトに設置される。
【００１０】
上記衣類処理装置の好ましい技術案では、前記乾燥ユニットは、乾燥気流を生成するための加熱装置と、乾燥気流から水分を除去するための凝縮装置とを備える。
【００１１】
上記衣類処理装置の好ましい技術案では、前記方向切換装置は、前記乾燥ダクトの送風端に設置される第１の方向切換弁と、前記乾燥ダクトの排風端に設置される第２の方向切換弁とを備え、前記第１の方向切換弁が、前記乾燥ダクトの送風端を前記第１の排風ダクト又は前記第２の排風ダクトに選択的に連通させ、前記第２の方向切換弁が、前記乾燥ダクトの排風端を前記第１の送風ダクト又は前記第２の送風ダクトに選択的に連通させる。
【００１２】
上記衣類処理装置の好ましい技術案では、前記衣類処理装置は、複数の第２の衣類処理装置を備え、前記乾燥システムは、乾燥気流を、前記第１の衣類処理装置の第１の衣類処理ドラム及び各前記第２の衣類処理装置の第２の衣類処理ドラム内に同時に又は別々に輸送することができる。
【００１３】
上記衣類処理装置の好ましい技術案では、前記衣類処理装置は、クラッチ装置をさらに備え、前記駆動装置は、前記クラッチ装置によって前記第１の衣類処理ドラム及び／又は前記第２の衣類処理ドラムに接続され、前記第１の衣類処理ドラム及び／又は前記第２の衣類処理ドラムを選択的に回転駆動する。
【００１４】
上記衣類処理装置の好ましい技術案では、前記クラッチ装置は、多位置クラッチ装置であり、前記駆動装置はさらに、前記多位置クラッチ装置によって各前記第２の衣類処理装置の第２の衣類処理ドラムに接続され、前記第２の衣類処理ドラムを選択的に回転駆動する。
【００１５】
上記衣類処理装置の好ましい技術案では、前記第１の衣類処理装置は、衣類乾燥機であり、前記第２の衣類処理装置は、洗濯機であり、又は前記第１の衣類処理装置は、衣類乾燥機であり、前記第２の衣類処理装置も衣類乾燥機であり、又は前記第１の衣類処理装置は、洗濯機であり、前記第２の衣類処理装置は、衣類乾燥機であり、又は前記第１の衣類処理装置は、洗濯機であり、前記第２の衣類処理装置も洗濯機である。
【００１６】
上記衣類処理装置の好ましい技術案では、前記駆動装置は、モーターであり、且つ／又は前記乾燥気流循環装置は、送風機である。
【００１７】
当業者であれば、本発明の好ましい技術案では、第１の衣類処理装置の乾燥システムが乾燥気流を生成でき、乾燥システムを介して乾燥気流を、第１の衣類処理装置及び第２の衣類処理装置内に同時に又は別々に輸送することができることを理解できる。従って、第１の衣類処理装置が衣類乾燥機であり、第２の衣類処理装置が洗濯機である場合、洗濯機は、衣類乾燥機の乾燥システムを用いて衣類を乾燥させることができ、それによりハードウェアの数量を減少させ、装置のコストを削減させる。
【００１８】
具体的には、第１の衣類処理装置内に第１の衣類処理ドラムが設置され、第２の衣類処理装置内に第２の衣類処理ドラムが設置される。乾燥システムは、乾燥気流を生成できる乾燥ユニットと、第１の衣類処理ドラムのキャビティに連通する第１の送風ダクト及び第１の排風ダクトと、第２の衣類処理ドラムのキャビティに連通する第２の送風ダクト及び第２の排風ダクトと、乾燥ダクトと、方向切換装置とを主に備え、方向切換装置の状態を切り替えることで、乾燥ダクトを第１の送風ダクト及び第１の排風ダクトに連通させることができ、さらに乾燥ユニットにより生成された乾燥気流を第１の衣類処理ドラムに輸送し、又は乾燥ダクトを第２の送風ダクト及び第２の排風ダクトに連通させることができ、さらに乾燥ユニットにより生成された乾燥気流を第２の衣類処理ドラムに輸送する。従って、第１の衣類処理装置が衣類乾燥機であり、第２の衣類処理装置が洗濯機である場合、本発明の衣類処理装置は、１セットの乾燥システムを介して衣類乾燥機と洗濯機内の衣類をそれぞれ独立して乾燥させまたは同時に乾燥させることができ、ユーザ体験を大幅に改善し、また、装置全体のハードウェアの数量を減少させ、製造コストを削減させる。
【図面の簡単な説明】
【００１９】
【図１】本発明の実施例の衣類処理装置の正面図である。
【図２】本発明の実施例の衣類処理装置の背面図である。
【図３】本発明の実施例の衣類処理装置の側面図である。
【図４】本発明の実施例の衣類処理装置の第１の斜視図である。
【図５】本発明の実施例の衣類処理装置の第２の斜視図である。
【図６】図５中のＡ部の拡大図である。
【図７】本発明の実施例の衣類処理装置の原理図である。
【発明を実施するための形態】
【００２０】
以下、図面を参照して、本発明の好ましい実施形態を説明する。これらの実施形態が本発明の技術的原理を説明するためにのみ使用され、本発明の保護範囲を限定するものではないことは、当業者により理解され得る。たとえば、図面における各部材同士は、特定の比例関係で描かれているが、この比例関係は、一定ではなく、当業者は、特定の用途に応じて必要に応じてそれらを調整することができ、調整後の技術案も本発明の保護範囲に含まれる。また、本願について衣類乾燥機と洗濯機を組み合わせて説明したが、これは、例示的なものに過ぎず、本発明の技術案は、２つの衣類乾燥機、２つの洗濯機、又は複数の衣類乾燥機及び複数の洗濯機の場合にも適用でき、これに関するいかなる調整も、本発明の基本的原理と保護範囲から逸脱するものではない。
【００２１】
なお、本発明の説明において、「中心」、「上」、「下」、「左」、「右」、「垂直」、「水平」、「内」、「外」などの用語によって示される方向又は位置関係は、図面に示される方向又は位置関係に基づくものであり、これは、単に説明の便宜上のものに過ぎず、前記装置又は素子が必ず特定の方位を有したり、特定の方位で構造又は操作されたりすることを示し又は示唆するものではなく、したがって、本発明を限定するものとして理解すべきではない。また、「第１」、「第２」、「第３」という用語は、説明のために過ぎず、相対的な重要性を示し又は示唆するものとして理解すべきではない。
【００２２】
なお、本発明の説明において、特に明確な規定や限定がない限り、「取り付ける」、「繋がる」、「接続する」という用語は、広義に理解されるべきであり、たとえば、固定的に接続されてもよく、取り外し可能に接続され又は一体に接続されてもよく、機械的に接続されてもよく、電気的に接続されてもよく、直接繋がられてもよく、中間媒体を介して間接的に繋がられてもよく、２つの素子の内部が連通してもよい。当業者であれば、特定の状況に応じて本発明における上記用語の特定の意味を理解できる。
【００２３】
図１〜図４に示されるように、本発明の衣類処理装置は、主に、第１の衣類処理装置とする衣類乾燥機１と、第２の衣類処理装置とする洗濯機２と、乾燥システム（図中、全体的に示されていない）とを備え、該乾燥システムは、乾燥気流を生成でき、乾燥気流が乾燥システムによって、衣類乾燥機１と洗濯機２に同時に又は別々に輸送され得る。
【００２４】
具体的には、衣類乾燥機１は、第１の衣類処理ドラムとする乾燥ドラム１１をさらに備え、洗濯機２は、第２の衣類処理装置とする洗濯ドラム２１を備え、乾燥システムは乾燥気流を乾燥ドラム１１と洗濯ドラム２１内に同時に又は別々に輸送することができる。
【００２５】
以下、図１〜図４を参照すると、本発明の衣類処理の乾燥システムは、乾燥ドラム１１を回転駆動する駆動装置と、乾燥気流を生成するための乾燥ユニットと、駆動装置で駆動される乾燥気流循環装置を主に備える。該乾燥気流循環装置は、乾燥ユニットにより生成された熱風を乾燥ドラム１１または洗濯ドラム２１内に輸送する。当業者であれば、駆動装置が、図３と図４に示されるように、乾燥ドラム１１を回転駆動する以外、さらに洗濯ドラム２１を回転駆動することを理解できる。さらに、駆動装置は、クラッチ装置によって乾燥ドラム１１に接続され、乾燥ドラム１１を選択的に回転駆動する。またさらに、駆動装置は、好適にはモーター１４であり、乾燥気流循環装置は、好適には送風機３５であり、又は、当業者は、さらに、必要に応じてその他の形態の駆動装置とその他の形態の乾燥気流循環装置を選択できる。
【００２６】
さらに図１〜図４を参照すると、本発明の衣類処理装置の乾燥システムは、第１の送風ダクト１２、第１の排風ダクト１３、第２の送風ダクト２２、第２の排風ダクト２３及び乾燥ダクト３をさらに備える。第１の送風ダクト１２と第１の排風ダクト１３がそれぞれ乾燥ドラム１１のキャビティに連通し、第２の送風ダクト２２と第２の排風ダクト２３がそれぞれ洗濯ドラム２１のキャビティに連通する。さらに、乾燥ダクト３は、送風端（図３中の乾燥ダクト３の左側）と、排風端（図３中の乾燥ダクト３の右側）とを有し、乾燥ダクト３の送風端がそれぞれ第１の排風ダクト１３と第２の排風ダクト２３に連通し、乾燥ダクト３の排風端がそれぞれ第１の送風ダクト１２と第２の送風ダクト２２に連通する。
【００２７】
図１と図２に示されるように、乾燥システムは、主に第１の方向切換弁３１と、第２の方向切換弁３２とを備える方向切換装置（図中、全体的に示されていない）をさらに備える。第１の方向切換弁３１が乾燥ダクト３の送風端に設置され、第２の方向切換弁３２が乾燥ダクト３の排風端に設置される。乾燥ダクト３は、第１の方向切換弁３１を介して第１の排風ダクト１３または第２の排風ダクト２３に選択的に連通することができ、乾燥ダクト３は、第２の方向切換弁３２を介して第１の送風ダクト１２または第２の送風ダクト２２に選択的に連通することができる。さらに、第１の方向切換弁３１と第２の方向切換弁３２の位置を切り替えることで、乾燥ダクト３を衣類乾燥機１の乾燥ドラム１１に連通させ、又は乾燥ダクト３を洗濯機２の洗濯ドラム２１に連通させることができる。従って、乾燥ダクト３内に設置される乾燥ユニット（以下、詳細は後述）が作動するとき、乾燥ダクト３内の熱風は乾燥ドラム１１内の衣類または洗濯ドラム２１内の衣類を選択的に乾燥させることができる。また、当業者はさらに必要に応じて、乾燥システムが同時に乾燥ドラム１１と洗濯ドラム２１に乾燥気流を提供できるように、方向切換装置を設置し、たとえば方向切換装置を不要とすることができる。
【００２８】
図５と図６に示されるように、本発明の好ましい実施例では、衣類乾燥機１のモーター１４がベルトによってクラッチ装置とするクラッチ１５に接続されて、モーター１４とクラッチ１５を取り付けやすくする。又は、当業者は、さらに、たとえばシャフトカップリングによってモーター１４とクラッチ１５を同軸に固定するなど、他の方法によってモーター１４をクラッチ１５に接続してもよい。クラッチ１５がさらに第１のベルト１６によって乾燥ドラム１１に接続される。当業者であれば、モーター１４が回転する状態でクラッチ１５の状態を切り替えることで、乾燥ドラム１１が選択的に回転又は静止できることを理解できる。
【００２９】
さらに、乾燥ドラム１１の底部には、第１の送風ダクト１２に連通する通気孔（図示せず）が設置される。乾燥ドラム１１の開口（具体的には、ドア密閉位置）は、第１の排風ダクト１３（図３の乾燥ドラム１１の左端）に密封して接続され、すなわち、衣類乾燥機１のドアが閉じられると、乾燥ダクト３内の熱風は、漏れが発生することなく、第１の送風ダクト１２から乾燥ドラム１１内に入って第１の排風ダクト１３から流出することができる。
【００３０】
実行可能な一実施例では、乾燥ドラム１１の先端（ドラム開口を有する一端）は、ローラーによって衣類処理装置の本体に固定され、乾燥ドラム１１の後端は、回転軸によって衣類処理装置の本体に固定され、それにより、乾燥ドラム１１は、その軸心の周りを回転することができる。さらに、衣類処理装置の本体には、リアプレートが設置され、該リアプレートには、貫通孔が設置され、該貫通孔の一端は、乾燥ドラム１１の通気孔に連通し、該貫通孔の他端は、第１の送風ダクト１２に連通する。乾燥ドラム１１の先端には、径方向に沿って貫通孔が設置され、該貫通孔は、乾燥ドラム１１のキャビティと第１の排風ダクト１３とを連通させる。たとえば、第１の排風ダクト１３は、乾燥ドラム１１の円周方向に設置された環状ダクトを有し、該環状ダクトは、乾燥ドラム１１に密封して接続され、且つ乾燥ドラム１１の先端の貫通孔は、該環状ダクト内に位置する。もちろん、本発明の技術案は、この特定のダクト設置形態に限定されるものではなく、乾燥ダクト３内の熱風を乾燥ドラム１１内に送り、乾燥ドラム１１内の高温高湿空気を乾燥ダクト３に返すことができるダクト構造であれば、本発明の技術案に適用できる。
【００３１】
図１、図２、図４及び図５に示すように、洗濯機２は、主に第２の衣類処理装置としての洗濯ドラム２１及び外筒２４を備える。洗濯ドラム２１は、外筒２４内に配置され且つ、洗濯ドラム２１と外筒２４との間の環状キャビティを洗濯ドラム２１のキャビティに連通させるように、洗濯ドラム２１の円周方向に複数の通気孔が設置される。乾燥ダクト３内の熱風が第２の送風ダクト２２から外筒２４内に入って第２の排風ダクト２３から排出されるときに漏れが発生して、湿った高温空気が室内に侵入し、室内の人々へ不快感を与えることを回避するために、外筒２４の先端（洗濯ドラム２１のドラム開口に近寄る一端）は、第２の排風ダクト２３に密封して接続され、外筒２４の後端は、第２の送風ダクト２２に密封して接続される。
【００３２】
図３〜図５に示すように、乾燥ダクト３の排風端は、それぞれ第１の送風ダクト１２及び第２の送風ダクト２２に連通し、乾燥ダクト３の送風端は、それぞれ第１の排風ダクト１３及び第２の排風ダクト２３に連通する。また、乾燥ダクト３が第１の排風ダクト１３及び第２の排風ダクト２３に連通する位置には、第１の方向切換弁３１が設置され、乾燥ダクト３が第１の送風ダクト１２及び第２の送風ダクト２２に連通する位置には、第２の方向切換弁３２が設置される。第１の方向切換弁３１及び第２の方向切換弁３２の状態を変更することにより、乾燥ダクト３は、第１の送風ダクト１２と第１の排風ダクト１３を介して乾燥ドラム１１に連通し、又は乾燥ダクト３は、第２の送風ダクト２２と第２の排風ダクト２３を介して外筒２４に連通することができる。
【００３３】
図３及び図４に示すように、乾燥ダクト３には、乾燥ユニットが設置され、該乾燥ユニットは、主にヒーター３３と凝縮器３４を備え、ヒーター３３は、第１の送風ダクト１２及び第２の送風ダクト２２に近寄る位置に設置され、凝縮器３４は、第１の排風ダクト１３及び第２の排風ダクト２３に近寄る位置に設置される。一例として、乾燥ダクト３において、凝縮器３４から離れるヒーター３３側には、送風機３５（図２参照）が設置され、送風機３５は、第２のベルト３６を介してモーター１４に接続される。また、当業者は、必要に応じて、カップリングを介して送風機３５とモーター１４を同軸に固定するなど、他の固定方法によって送風機３５とモーター１４を接続してもよい。モーター１４によって送風機３５を回転駆動することにより、乾燥ダクト３内の熱風を第１の送風ダクト１２又は第２の送風ダクト２２に送られることは、容易に理解できる。また、当業者は、必要に応じて、ヒーター３３、凝縮器３４及び送風機３５の位置を変更することで熱風を第１の排風ダクト１３又は第２の排風ダクト２３に吹くこともできる。なお、送風機３５は、遠心式送風機、軸流式送風機、往復式送風機又は回転式送風機などの任意の形態の送風機であってもよく、各ダクト内で乾燥気流を循環できればよい。また、なお、乾燥ダクト３内の空気が加熱されることを確保できれば、ヒーター３３は、抵抗ヒーターなどの任意の形態の加熱装置であってもよい。さらに、なお、乾燥ダクト３内の空気中の水分が凝縮されることを確保できれば、凝縮器３４は、水冷式凝縮器や空冷式凝縮器などの任意の形態の凝縮装置であってもよい。
【００３４】
また、図示されていないが、本発明の好ましい実施形態では、乾燥ダクト３において、ヒーター３３から離れる凝縮器３４側には、乾燥ドラム１１と洗濯ドラム２１内の気流に伴って乾燥ダクト３に入る凝集物を濾過するための濾過網がさらに設置され、それにより、凝集物が乾燥ダクト３内に入って蓄積することによってもたらされた送風機３５への悪影響、及び衣類処理装置の乾燥効果への影響を防ぐ。
【００３５】
以下、図７を参照して、本発明の衣類処理装置の作動原理を詳細に説明する。
【００３６】
図７に示すように、該図には、乾燥ドラム１１、洗濯ドラム２１、及び乾燥ドラム１１と洗濯ドラム２１との間に位置する乾燥ダクト３が示されている。図７における乾燥ドラム１１の両端は、それぞれ第１の送風ダクト１２及び第１の排風ダクト１３に連通し、洗濯ドラム２１の両端は、それぞれ第２の送風ダクト２２と第２の排風ダクト２３に連通する。乾燥ダクト３は、一端がそれぞれ第１の送風ダクト１２及び第２の送風ダクト２２に連通し、他端がそれぞれ第１の排風ダクト１３及び第２の排風ダクト２３に連通する。乾燥ダクト３の両端のそれぞれには、第１の方向切換弁３１と第２の方向切換弁３２がさらに設置され、乾燥ダクト３の中央部には、ヒーター３３、凝縮器３４及び送風機３５がさらに設置される。
【００３７】
ユーザが洗濯機２の洗濯ドラム２１を使用して衣類を乾燥させる場合、第１の方向切換弁３１と第２の方向切換弁３２は、図７に示した位置に切り替えられ、乾燥ダクト３と第１の送風ダクト１２及び第１の排風ダクト１３との連通を解除する。この場合、クラッチ１５は、オフになり（結合解除）、乾燥ドラム１１は、静止状態にあり、モーター１４は、送風機３５のみを回転駆動し、送風機３５は、ヒーター３３によって加熱された気流を第２の送風ダクト２２に送り、熱気流は、洗濯ドラム２１内に入って衣類の水分を蒸発させ、湿度の高い気流は、第２の排風ダクト２３を経て乾燥ダクト３内に入り、且つ湿度の高い熱気流が凝縮器３４に接触すると、空気中の水分が液化され、それにより、空気を乾燥させる。さらに、乾燥させた空気は、ヒーター３３によって再び加熱されて、次の循環に進む。
【００３８】
ユーザが衣類乾燥機１の乾燥ドラム１１を使用して衣類を乾燥させる場合、第１の方向切換弁３１と第２の方向切換弁３２は、図７に示した位置から下端に切り替えられ、乾燥ダクト３と第２の送風ダクト２２及び第２の排風ダクト２３との連通を解除する。クラッチ１５は、閉じられ（結合）、モーター１４は、乾燥ドラム１１と送風機３５を同時に回転するように駆動し、送風機３５は、ヒーター３３によって加熱された気流を第１の送風ダクト１２に送り、熱気流は、回転している乾燥ドラム１１内に入って衣類の水分を蒸発させ、湿度の高い気流は、第１の排風ダクト１３を経て乾燥ダクト３内に入り、且つ湿度の高い熱気流が凝縮器３４に接触すると、空気中の水分が液化され、それにより、空気を乾燥させる。さらに、乾燥させた空気は、ヒーター３３によって再び加熱されて、次の循環に進む。
【００３９】
前記のとおり、本発明の好ましい実施形態では、衣類乾燥機１と洗濯機２が１つの乾燥システムを共有するので、洗濯機２は、衣類の洗濯を完了した後に衣類を直接乾燥させることができ、洗濯機において洗濯された衣類を取り出して衣類乾燥機に入れて乾燥させるという従来技術の操作と比較して、より簡便になり、ユーザの操作を簡略化させて、ユーザの使用体験を向上させる。モーター１４と乾燥ドラム１１との間にクラッチ１５を設置することにより、モーター１４は、送風機３５を回転駆動すると同時に、選択的に乾燥ドラム１１を回転駆動し又は乾燥ドラム１１を静止状態にすることができ、モーターを別々に設置して乾燥ドラム１１と送風機３５を駆動する方法に比較して、モーターの数が減らされる。さらに、当業者は、必要に応じて、モーター１４によってクラッチ１５を介して洗濯ドラム２１を選択的に回転駆動することもでき、それにより、洗濯機２のモーターを省略して、モーターの数をさらに減らす。さらに、衣類乾燥機１と洗濯機２を一体に設置する技術案では、１つの制御パネルで衣類乾燥機１と洗濯機２の運転を同時に制御できるため、操作を簡略化させて、ユーザの使用体験を向上させる。
【００４０】
さらに、本発明の衣類処理装置によれば、ユーザは、洗濯機２で衣類を洗濯すると同時に、衣類乾燥機１で衣類を乾燥させることができるので、洗濯時間や乾燥時間を短縮させる。
【００４１】
また、本発明の上記好ましい実施形態に加えて、別の実行可能な一実施例では、第１の排風ダクト１３、第２の排風ダクト２３及び乾燥ダクト３の送風端は、外部に直接連通してもよく、それにより、外部からの空気が乾燥ダクト３に直接入って加熱され、加熱された気流が、衣類乾燥機１又は洗濯機２に入った後、第１の排風ダクト１３又は第２の排風ダクト２３を経て外部に直接到達する。該実施例は、凝縮器３４の設置を省くことができるが、衣類乾燥機１又は洗濯機２から出た気流を凝縮しないので、気流がそのまま室内に入り、暖かく湿った空気は、室内の人々へ不快感をもたらし、且つ暖かく湿った空気は、衣類処理装置の部品を腐食させて、衣類処理装置の耐用年数を縮める。該実施例では、第１の排風ダクト１３と第２の排風ダクト２３のそれぞれに凝縮器３４を設置して、湿った空気の室内への侵入を防ぐこともできる。
【００４２】
また、図示していないが、本発明の第２の衣類処理装置は、複数設置され、且つ、乾燥ユニットによって生成された乾燥気流が調整後の方向切換装置を介して各第２の衣類処理装置の第２の衣類処理ドラム内に同時に又は別々に送られるように、方向切換装置を適切に調整するようにしてもよい。
【００４３】
さらに、本発明のクラッチ装置は、図面に示されるクラッチの形態に限定されるものではなく、他の任意の実行可能なクラッチ装置であってもよく、モーターと乾燥ドラム又は洗濯ドラムとの間の動力のオンオフを実現できればよい。また、本発明のクラッチ装置は、多位置クラッチ装置として構成されてもよく、それにより、駆動装置（たとえば、モーター１４）は、該多位置クラッチ装置を介して複数の第２の衣類処理ドラムを選択的に回転駆動することができる。たとえば、モーター１４は、クラッチ１５を介して洗濯ドラム２１に選択的に接続されてもよく、洗濯ドラム２１を使用して衣類を乾燥させる場合、クラッチ１５は、洗濯ドラム２１に接続される位置に切り替えられ、熱風を供給しながら洗濯ドラム２１を回転させ続ける。好ましくは、多位置クラッチ装置の位置の数は、駆動装置が該多位置クラッチ装置を介して各衣類処理ドラムを選択的に回転駆動できるように第１の衣類処理装置と第２の衣類処理装置の数の合計に等しく、それにより、本発明の衣類処理装置は、１つのモーターだけですべての衣類処理ドラムを回転駆動できる。
【００４４】
さらに、当業者は、実際のニーズに応じて第１の衣類処理装置と第２の衣類処理装置のタイプを選択することができ、たとえば、第１の衣類処理装置と第２の衣類処理装置は、それぞれ洗濯機、洗濯乾燥機及び衣類乾燥機のいずれか１種であってもよい。
【００４５】
以上は、図面に示される好ましい実施形態を参照して本発明の技術案を説明したが、勿論、本発明の保護範囲がこれらの特定の実施形態に限定されるものではないことは、当業者により容易に理解できる。当業者は、本発明の原理から逸脱することなく、関連する技術的特徴に対して同等の変更又は置換を行うことができ、これらの変更又は置換による技術案は、すべて本発明の保護範囲に含まれる。
【符号の説明】
【００４６】
１、衣類乾燥機
１１、乾燥ドラム
１２、第１の送風ダクト
１３、第１の排風ダクト
１４、モーター
１５、クラッチ
１６、第１のベルト
２、洗濯機
２１、洗濯ドラム
２２、第２の送風ダクト
２３、第２の排風ダクト
２４、外筒
３、乾燥ダクト
３１、第１の方向切換弁
３２、第２の方向切換弁
３３、ヒーター
３４、凝縮器
３５、送風機
３６、第２のベルト
【図１】
2020521608.tif 000003
【図２】
2020521608.tif 000004
【図３】
2020521608.tif 000005
【図４】
2020521608.tif 000006
【図５】
2020521608.tif 000007
【図６】
2020521608.tif 000008
【図７】
2020521608.tif 000009
【国際調査報告】
2020521608.tif 000010
2020521608.tif 000011
2020521608.tif 000012
2020521608.tif 000013